(57)【要約】【課題】  従来の交通事故における被害者または遺族は、自賠責保険での支払い額がどの程度になるのか分からないまま不安を抱えていた。これは自賠責保険金の支払いについてあまりにも情報が少なく、十分な知識を得られない状況下にあるためである。【解決手段】  簡単な入力操作で複雑な自賠責保険金の支払い額が算出でき、なおかつ損害賠償額に対する知識も同時に習得できるようにすることで、これまで多くの交通事故における被害者または遺族が抱えてきた不安を払拭することができる。さらに支払い限度額にとらわれない自賠責積算額も表示することにより、賠償額をとらえる上での参考にもなることから、被害者または遺族にとって強い味方を得ることになる。【選択図】  図３
2005128984.tif 000002
【特許請求の範囲】
【請求項１】
自賠責保険金の支払額を簡単な入力操作で算出できる計算ソフト。
【請求項２】
自賠責保険金支払いの限度額にとどまらず、自賠責保険金の積算額も合わせて算出を行なう計算ソフト。
【請求項３】
交通事故の被害者本人、または遺族が自賠責保険金支払いの仕組みを容易に理解できるよう用語に解説を設ける自賠責保険金の支払額計算ソフト。
【発明の詳細な説明】
【技術分野】
【０００１】  本発明は自動車事故の被害者、および遺族が自身で、自賠責保険金の支払額を知りえる計算ソフトであり、同時に損害賠償額を判断していくための参考資料に関する。
【背景技術】
【０００２】  本発明はまったく新しく開発された計算ソフトであり、交通事故の被害者にとって強い味方となりうる。【０００３】  従来は交通事故の被害者本人、または遺族が自賠責保険金の支払額を算出することは計算が複雑なことと、算出方法、用語に関する説明等が十分ではなく、自身で算出を行うことは容易ではないため、被害者本人、または遺族にとっては不安となっていた。【０００４】  本発明は従来、被害者が抱えてきた問題を解決しようとするものであり、容易に被害者が自賠責保険金の支払額、ならびに損害賠償額についての知識が得られることを可能にした計算ソフトである。
【発明の開示】
【発明が解決しようとする課題】
【０００５】  被害者救済の観点から、被害者本人または残された遺族が自賠責保険金の支払額の情報を知りうることは不安を払拭するうえで大いに役立つものである。【０００６】  画面の入力操作が簡単であり、支払い保険金の算出結果を迅速、正確に提示できるものとする。
【発明を解決するための手段】
【０００７】  誰もが簡単に操作ができることが前提となるため、見やすい画面とし、入力項目は数字入力以外、チェックマークを付すだけで足りるようにし、面倒さを除くことが必要である。
【０００８】  それぞれの用語に解説をつけることで、利用者の理解を得られやすくすることができる。
【０００９】  初期画面で、傷害、後遺障害、死亡による損害を表示し、クリックすることで該当する計算画面、シートに即移れるようにする。
【００１０】  傷害による損害の計算シートについては、治療関係費等、休業損害の各々実額、ならびに総治療日数、実治療日数の項目を数字入力することで算出できるものとする。なお、治療関係費等、休業損害の項目には直接数字入力も可能とするが、内訳表から個々の該当欄に数字入力することで、各項目にその合計額を表示できるようにする。表示された合計額は算出根拠として使用される。それぞれの項目については説明書きを用意する。
【００１１】  傷害による損害の計算シートにおける慰謝料認定日数については、一般的な考え方として採用されている総治療日数、または実治療日数の２倍のいずれか低い日数を算出根拠とするよう自動的に選択するプログラムを作成する。ただし、傷害の態様によっては上記の考え方が当てはまらないことがあることの説明書きを加えるものとする。
【００１２】  後遺障害による損害シートについては収入欄のみ数字入力とし、その他の項目についてはマウス操作のみで行い、それぞれの項目については説明書きを用意する。
【００１３】  死亡による損害シートについては収入欄のみ数字入力とし、その他の項目についてはマウス操作のみで行えるものとし、それぞれの項目については説明書きを用意する。
【００１４】  後遺障害ならびに死亡による損害の各シートにおいての計算根拠となっている年齢別平均給与額、全年齢平均給与額、労働能力喪失率、ライプニッツ係数等についても確認できるものとする。
【００１５】  各損害シートはすべての被害者に対応することが可能である。
【発明の効果】
【００１６】  被害者または遺族の方が、自ら自賠責保険金の支払額、損害賠償額に対する知識を得られることで大きな安心感を得ることができる。
【００１７】  損害保険代理店が利用した場合、自賠責保険金の支払額、損害賠償額に対する知識の向上につながり、顧客に対するサービスの幅が広がる。
【発明を実施するための最良の形態】
【００１８】  以下本発明の実施の形態を図１〜図４に基づいて説明する。【００１９】  図１においては、１は表紙画面で、傷害による損害２、後遺障害による損害３、死亡による損害４へのボタンを押すことでそれぞれの計算シートがあらわれる。さらに用語の説明５、支払い基準６、高額賠償事例７、詳細説明８のボタンを用意し、表紙画面１からも様々な解説を得られるようにする。【００２０】  図２は、傷害による損害の計算シート２の構成を表している。傷害による損害の計算シート２では、治療関係費等９の項目にマウスを近づけると９の項目についての説明書が表示され、９の項目をクリックすると、入力明細書１０が表示されるようにしてあり、明細への入力後、完了をクリックすることで、傷害計算シート２の治療関係費等９の項目に自動的に反映表示される。休業損害１１の項目も同様、説明と入力画面１２へと進み、完了ボタンをクリックすることで反映表示される。これらは直接各項目９，１１に入力することも可能。続けて実治療日数１３、総治療日数１４を数字入力することで、自動計算され、慰謝料１５の項目が埋まることになる。以上で自賠責保険支払額１６、自賠責保険積算額１７の回答が現われる。同画面に重大な過失による減額１８の項目を用意してあり、該当する場合はチェックを入れることで支払い保険金の減額表示がなされる。これらの各項目においても説明書が表示される。【００２１】  図３は、後遺障害による損害の計算シート３の構成を表している。後遺障害による損害シート３においては職業欄１９から該当するものを選択、年齢２０、性別２１を選び、年収２２に数字入力する。年収２２での直接入力された年収額は、年齢別平均年収２３、全年齢平均年収２４と比較し、自賠責保険の収入額の定め方に従った計算方法に基づき自動計算を行ない、結果を算定年収欄２５に表示する。算定年収欄２５に表示された金額を算出基礎数字として使用する。職業欄１９で収入額の立証が困難な有職者、または収入のない幼児、学生、主婦等を選択したものについても自賠責保険の収入額の定め方に従った計算方法により算定年収欄２５に表示される。次に障害等級２６の項目をクリックすると、後遺障害等級表２７が表われる。後遺障害等級表２７の該当する等級にチェックを入れると障害等級２６に反映表示される。障害等級２６が表示されると、労働能力喪失率２８が決定し、年齢２０によるライプニッツ係数２９を用いて逸失利益３０の計算、ならびに慰謝料表３１を用いて慰謝料計算３２が行われる。次に被扶養者の有無３３にチェックを入れると慰謝料計算３２の額に反映する。これらの作業が完了した時点で自賠責保険支払額３４、自賠責保険積算額３５の回答が現われる。さらに重大な過失による減額３６が該当するものであれば、該当欄にチェックを入れることで減収額の表示がなされる。これらの項目すべてに説明書きが加えられている。当該シートには算出に必要な年齢別平均年収２３、全年齢平均年収２４、労働能力喪失率２８、ライプニッツ係数２９等は表示されていないが、これらは表紙１の詳細説明８を開いて確認することができる。【００２２】  図４は、死亡による損害の計算シートの構成を表している。死亡による損害シート４においては��葬儀費欄３７、職業欄３８、年齢３９、性別４０をマウス操作により選択し、年収４１を数字入力する。年収４１での直接入力された年収額は、年齢別平均年収４２、全年齢平均年収４３と比較し、自賠責保険の収入額の定め方に従った計算方法に基づき自動計算を行ない、結果を算定年収欄４４に表示する。算定年収欄４４に表示された金額を算出基礎数字として使用する。職業欄３８で収入額の立証が困難な有職者、または収入のない幼児、学生、主婦等を選択したものについても自賠責保険の収入額の定め方に従った計算方法により算定年収欄４４に表示される。次に被扶養者欄４５の有無について入力が行われると本人生活費の控除割合４６が定められ、年齢３９によるライプニッツ係数４７を用いて逸失利益４８の計算がなされ、さらに請求権者欄４９の人数を選択すると定められた慰謝料計算５０が行われる。これらの作業が完了した時点で自賠責保険支払額５１、自賠責保険積算額５２の回答が現われる。さらに重大な過失による減額５３が該当するものであれば、該当欄にチェックを入れることで減収額の表示がなされる。これらの項目すべてに説明書きが加えられている。当該シートには計算に必要な年齢別平均年収４２、全年齢平均年収４３、ライプニッツ係数４７等は表示されていないが、これらは表紙１の詳細説明８を開いて確認することができる。
【図面の簡単な説明】
【００２３】
【図１】  本発明の自賠責保険金支払簡易計算ソフトの表紙構成図
【図２】  同傷害による損害シートの計算フォロー図
【図３】  同後遺障害による損害シートの計算フォロー図
【図４】  同死亡による損害シートの計算フォロー図
【図１】
2005128984.tif 000003
【図２】
2005128984.tif 000004
【図３】
2005128984.tif 000005
【図４】
2005128984.tif 000006